(57)【要約】【課題】  観音開き式扉の隣接する二つの扉を、片手で開放できる冷蔵庫を提供する。また、観音開き式扉の中央部に於いて貯蔵室の庫内と室外とを閉塞する回転仕切板結露防止用加熱手段等への入力を低減して省エネを図れる構造を提供する。【解決手段】  隣り合う二つの扉の開放側側面に手掛部を形成すると共に、その手掛部は上記二つの扉の表面間寸法を変えない位置とし、更に、その手掛部と他扉との間に対流空間を形成するようにしたので、観音開き式扉の隣接する二つの扉を、片手で開放できる扉操作性の良い冷蔵庫を提供できる。  また、手掛部に於いては、他扉との間に対流空間が形成されているので、温度の高い室外外気が該部に対流して、貯蔵室の庫内と室外とを閉塞する回転仕切板表面の温度を上昇させる働きをするので、加熱手段等への入力を低減できるので、省エネ上有利な冷蔵庫を提供できる。【選択図】  図１
2006313024.tif 000002
【特許請求の範囲】
【請求項１】
隣り合う二つの扉の開放側側面に手掛部を形成すると共に、その手掛部は上記二つの扉の表面間寸法を変えない位置とし、更に、その手掛部と他扉との間に対流空間を形成するようにしたことを特徴とする観音開き式扉を備えた冷蔵庫。
【請求項２】
手掛部の厚さを１５ｍｍ以下としたことを特徴とする請求項１記載の観音開き式扉を備えた冷蔵庫。
【請求項３】
貯蔵室の前面開口部を閉塞する観音開き式扉を有する冷蔵庫に於いて、手掛部を、前記貯蔵室の中で比較的温度の低い部分に対向する位置の扉側面に、部分的に設けたことを特徴とする請求項１記載の観音開き式扉を備えた冷蔵庫。
【請求項４】
手掛部を、扉の開放側側面の長さと、ほぼ同じ長さに形成したことを特徴とする請求項１記載の観音開き式扉を備えた冷蔵庫。
【請求項５】
手掛部を、扉の下面まで延長し、扉のハンドルとしたことを特徴とする請求項１記載の観音開き式扉を備えた冷蔵庫。
【発明の詳細な説明】
【技術分野】
【０００１】
本発明は、貯蔵室の前面開口部を二つの扉で閉塞する所謂観音開き式扉を備えた冷蔵庫のハンドルに関するものである。
【背景技術】
【０００２】
この種冷蔵庫を図９から図１１に於いて説明する。先ず、図９に於いて、１は冷蔵庫本体であり、この冷蔵庫本体１は上から順に冷蔵室２、野菜室３、温度切換室４とこれに併設された製氷室５、冷凍室６が区画形成されている。
【０００３】
而して、上記冷蔵室２は二つの扉７，８で冷蔵室２の前面開口部を閉塞する所謂観音開き式扉となっている。そして上記二つの扉側に設けた図示しないマグネットパッキングの着磁面は一方の扉に設けられた回転仕切板９に着磁し、冷蔵室２内と室外とを遮断するように構成されている。
【０００４】
また、この冷蔵室２より下方に位置する野菜室３、温度切換室４、製氷室５、冷凍室６は引出し式扉３a，４a，５a，６aにより、前面開口部が閉塞されている。
【０００５】
１１，１２は上記扉７，８の下部に設けられたハンドルであり、このハンドル１１，１２は左右対称形となるよう、かつ、後述する図１０に示すごとく構成されている。
【０００６】
次に図１０により説明する。図１０は図９におけるＡ−Ａ線の要部断面図あり、前述の図９と同一構成については、同一符号を付して詳細な説明を省略する。
【０００７】
１１（１２）は扉７（８）の下部に設けられたハンドルであり、図に示すごとく下方から手指を掛けて扉７（８）を開放できるように、下側に開放した手掛部１１a（１２a）を有している。
【０００８】
次に図１１により説明する。図１１は図９におけるＢ−Ｂ線の要部断面図であり、前述の図９と同一構成については、同一符号を付して詳細な説明を省略する。
【０００９】
９は扉内板８b或いは７bのいずれか一方の扉内板に回動可能に設けられた回転仕切板であり、該回転仕切板９に、扉７（８）側に設けたマグネットパッキング１３が着磁することにより、冷蔵室２内と室外とを遮断するように構成されている。また、前記仕切板９自身は冷蔵室２内の冷気により冷却されるので、該冷熱の熱伝導によって、該回転仕切板９の仕切板表面９bに結露しないように、ヒーター等の加熱手段９aにより、前記仕切板表面９bを所定の温度に保持するように構成されている。
【００１０】
【特許文献１】特開２００１−１３３１３２号公報(図１)
【発明の開示】
【発明が解決しようとする課題】
【００１１】
冷蔵庫の外観意匠上から、複数の扉を有する冷蔵庫の、隣接する扉間寸法は重要な役割を占める。これは冷蔵庫を二つの扉で閉塞する観音開き式冷蔵庫にあっても同じことであり、最近の観音開き式冷蔵庫にあっては、二つの扉の表面間寸法を、例えば、前述の図９や図１１に示すＬ１０寸法で、１０ｍｍ以下と小さくして、外観意匠を向上させる傾向にある。
【００１２】
一方、観音開き式扉の中央部に於いて、貯蔵室の庫内と室外とを閉塞する断熱仕切り体は、扉開閉時における操作性上から、そのいずれか一方の扉内板に設けられた、例えば、図１１に示すような、回転仕切板９を採用する傾向にある。
【００１３】
そして、該回転仕切板９は、それ自身が回転する関係上、その断熱厚さ、例えば、図１１に示すＬ１１寸法はあまり厚く出来ないので、冷蔵室２内の冷気により冷却される仕切板庫内面９cからの熱伝導により、室外側の仕切板表面９bが、該室外温度より低温度になって、該仕切板表面９bに結露する恐れがある。
【００１４】
また、前述したように、二つの扉の表面間寸法であるＬ１０寸法は、外観意匠を向上させる目的のために、例えば、１０ｍｍ以下と小さくしてあるので、該部への温度の高い室外空気の対流が少ないので、前記仕切板表面９b自身の温度があまり上がらないので、該仕切板表面９bに結露する恐れがある。
【００１５】
従って、前記仕切板表面９bの温度を、例えば、図１１に示す電気ヒーター等の加熱手段９a等により上昇させているので、省エネ上の観点から課題となっていた。
【００１６】
また、扉表面に設置されるハンドルも、冷蔵庫の外観意匠上重要な役割を占める。従って、ハンドル形状もまた外観意匠上の要求から種々な形態が要求される。これは冷蔵庫を二つの扉で閉塞する観音開き式冷蔵庫にあっても同じことである。最近、冷蔵庫の外観意匠上の要求から前述した図９から図１０に示すように、ハンドルが扉の最下部にあり、且つ、手掛部１１a（１２a）が図１０に示すように、扉の下方に設定される場合がある。
【００１７】
この場合、その手掛部１１a（１２a）の床面からの高さ寸法Ｈ１０は、通常、冷蔵庫を使用する主婦の目線より下となるので、使用者にとって、見づらい位置とならざるを得ない。
【００１８】
一方、観音開き式扉は扉自体の幅が冷蔵庫の幅のほぼ１／２となるため、扉開放時の回動軌跡が一枚扉のほぼ１／２となる。この為、据付場所に余裕のない場合には使い勝手が良い冷蔵庫と評価されている。
【００１９】
従って、一般的には左右対称で同構造(同形状)に作られる。例えば図９がそれである。
【００２０】
しかし、この観音開き式扉を持つ冷蔵庫は先にも記載した如く、扉幅が冷蔵庫開口部のほぼ１／２である為、冷蔵庫内に入るべき収納食品が間口の問題で入らないと云う問題が往々にして生じる。
【００２１】
勿論、この問題は両扉を片手で開放出来れば解消出来る課題であるが、従来冷蔵庫に於いては、この点考慮していなかった。
【００２２】
例えば、左手に収納食品を持ち、他方の片手である右手で扉を開放しようとするには、冷蔵庫のすぐ近くで、且つ、冷蔵庫の中心より観音開き式扉の右側扉側に少し寄った所に立ち、該右側扉のハンドルに右手の指を掛けて右側扉のみを開ける。この状態で収納食品が冷蔵室内に入らない場合は、他方の扉、つまり、左扉を開放しようとする。
【００２３】
この時が問題となる。即ち先にも記載した如くこれらハンドルは、通常使用する主婦の目線より下の扉下部にあるために、且つ、このときの身体の位置が右側扉の前にあるために、右手で左側扉を開ける為には、立っている位置を少し左に変えて、或いは、身体を捩じるようにして、右手の指を左側扉のハンドルに掛けなければ成らなかった。しかも、開けようとする左扉の前に、開けようとする人の収納食品を持った左手があるために、右手で左扉の開口を大きく開くことが困難であった。
【００２４】
この為、据付面では良いが、操作上或いは結露上課題がある冷蔵庫として評価されることが往々にしてあった。
【００２５】
本発明は、このような従来の構成が有していた問題を解決しようとするものであり、その目的とする所は、観音開き式扉の隣接する二つの扉を、片手で開放できる扉操作性の良い冷蔵庫を提供するものである。
【００２６】
また、上記目的に加えて、観音開き式扉の中央部に於いて、貯蔵室の庫内と室外とを閉塞する回転仕切板の結露防止用加熱手段等の省エネを図れる構造を提供することを別の目的とした。
【課題を解決するための手段】
【００２７】
本発明は上記目的を達成するために、隣り合う二つの扉の開放側側面に手掛部を形成すると共に、その手掛部は上記二つの扉の表面間寸法を変えない位置とし、更に、その手掛部と他扉との間に対流空間を形成するようにしたので、観音開き式扉の隣接する二つの扉を、片手で開放できる扉操作性の良い冷蔵庫を提供できる。
【００２８】
また、手掛部に於いては、他扉との間に対流空間が形成されているので、温度の高い室外外気が該部に対流して、貯蔵室の庫内と室外とを閉塞する回転仕切板表面の温度を上昇させる働きをするので、加熱手段等への入力を低減できるので、省エネ上有利な冷蔵庫を提供できる。
【００２９】
また、手掛部の厚さを１５ｍｍ以下としたので、上述した温度の高い室外外気が該部に対流し易くなり、回転仕切板表面の温度を上昇させる働きをするので、加熱手段等の発熱量を低減できる冷蔵庫を提供できる。
【００３０】
また、貯蔵室の前面開口部を閉塞する観音開き式扉を有する冷蔵庫に於いて、手掛部を、前記貯蔵室の中で比較的温度の低い部分に対向する位置の扉側面に、部分的に設けたので、温度が低いために結露する確立の高かった部分の回転仕切板への結露の恐れを少なく出来る構造を提供できる。
【００３１】
また、手掛部を、扉の開放側側面の長さと、ほぼ同じ長さに形成したので、回転仕切板への結露の恐れが少なく出来ると共に、観音開き式扉の隣接する二つの扉を、片手で開放できる扉操作性の良い冷蔵庫を提供できる。
【００３２】
また、手掛部を、扉の下面まで延長し、扉のハンドルとしたので、手掛部とハンドルを同時に形成できるので、製造コスト上有利な冷蔵庫を提供できる。
【発明の効果】
【００３３】
上述したように本発明は、隣り合う二つの扉の開放側側面に手掛部を形成すると共に、その手掛部は上記二つの扉の表面間寸法を変えない位置とし、更に、その手掛部と他扉との間に対流空間を形成するようにしたので、観音開き式扉の隣接する二つの扉を、片手で開放できる扉操作性の良い冷蔵庫を提供できる。
【００３４】
また、手掛部に於いては、他扉との間に対流空間が形成されているので、温度の高い室外外気が該部に対流して、室外と貯蔵室の庫内とを閉塞する回転仕切板表面の温度を上昇させる働きをするので、加熱手段等への入力を低減できるので、省エネ上有利な冷蔵庫を提供できる。
【発明を実施するための最良の形態】
【００３５】
以下本発明の実施の形態について、図１から図８を用いて説明する。
【実施例１】
【００３６】
本発明の第一の実施例について、図面を参照しながら説明する。
【００３７】
図１は本発明の第一の実施例を示す冷蔵庫の正面図であり、図２は図１におけるＣ−Ｃ線の要部断面図、図３は図１におけるＤ−Ｄ線相当の要部断面説明図である。先ず、図１に於いて、２０は冷蔵庫本体であり、この冷蔵庫本体２０は上から順に冷蔵室２１、野菜室２２、製氷室２３、冷凍室２４が区画形成されている。而して、上記冷蔵室２１は二つの扉２５，２６で冷蔵室２１の前面開口部を開閉可能に閉塞する所謂観音開き式扉となっている。そして、上記二つの扉側に設けた図２で後述するマグネットパッキング４７，４８の着磁面は、上記隣接する観音開き式扉２５，２６のほぼ中央部に於いて、前記貯蔵室である冷蔵室２１の庫内と室外とを閉塞する回転仕切板４３に着磁し、冷蔵室２１内と室外とを遮断するように構成されている。なお、この冷蔵庫の外観意匠を向上させる目的で、上記二つの扉２５，２６の表面間寸法Ｌ２０を１０ｍｍ以下に設定してある。
【００３８】
また、この冷蔵室２１より下方に位置する野菜室２２、製氷室２３、冷凍室２４は引出し式扉２２a，２３a，２４aにより、前面開口部が開閉可能に閉塞されている。
【００３９】
４１，４２は上記観音開き式扉２５，２６の下部に設けられたハンドルであり、このハンドル４１、４２は左右対称形となるように構成されている。
【００４０】
５２は上記観音開き式２６の開放側の側面に形成された手掛部であり、該手掛部５２は上記二つの扉２５，２６の表面間寸法を変えない位置とし、更に、その手掛部５２と、他扉２５との間に後述する対流空間を形成するように構成してある。また、前記手掛部５２は、上記観音開き式扉の、一方の扉２５を開放したとき、その一方の扉を開放した時の身体位置のままで、前記一方の扉を開放した手の指が掛かる位置に、後述するように設けられている。
【００４１】
なお、前記手掛部５２は、冷蔵室２１内で庫内温度の低い位置２１a、例えば、冷蔵室２１内に設けられた、図示しないチルド容器や氷温容器等の低温容器等に対向する位置の、或いは、冷気が滞留する冷蔵室下部に対向する位置の、前記扉２６の開放側の側面に後述するように設けられている。
【００４２】
つぎに、図２により説明する。図２は図１におけるＣ−Ｃ線の要部断面図であり、前述の図１と同一構成については、同一符号を付して詳細な説明を省略する。
【００４３】
図に於いて、４３は前述した回転仕切板であり、該回転仕切板４３は、前記観音開き式扉２５，２６のいずれか一方の扉に回動可能に係止されており、扉閉め時は図２に示すように、扉側に設けたマグネットパッキング４７，４８の着磁面を仕切板表面４３aに着磁することにより、冷蔵室２１庫内と室外を閉塞している。
【００４４】
５２は扉２６の開放側の側面に形成された手掛部であり、該手掛部５２の頂部５２aは、上記二つの扉２５，２６の表面２５aと２６aとの間隙寸法Ｌ２０を変えない位置に、且つ、その手掛部５２の底部５２bと、他扉２５の側面２５cとの間隙寸法Ｌ２１を前記扉表面間寸法Ｌ２０より大きくして、該大きくしたことにより、冷蔵庫周囲の温度の高い外気が対流して、前記仕切板表面４３aの温度を上昇できるように、対流空間Ｇ２１を形成するように構成してある。なお、上記対流空間Ｇ２１内に、冷蔵庫周囲の外気が対流し易いように、上記手掛部５２の厚さ寸法Ｔ２０は１５ｍｍ以下としてある。換言すれば、前記仕切板表面４３aが結露しないようにしている電気ヒーター等の加熱手段４４への入力を低減して、省エネが図れるように、前記手掛部５２の底部５２bと、他扉２５の側面２５cとの間隙寸法Ｌ２１を、前記扉表面間寸法Ｌ２０より大きくして、冷蔵庫周囲の温度の高い外気が対流できる対流空間Ｇ２１を形成してある。
【００４５】
また、前記手掛部５２は、上記観音開き式扉の一方の扉２５を開放したとき、その一方の扉を開放した時の身体位置のままで、前記一方の扉を開放した手の指が掛かる位置に設けられている。
【００４６】
つぎに、図３により説明する。図３は図１におけるＤ−Ｄ線相当の要部断面説明図であり、前述の図１と同一構成については、同一符号を付して詳細な説明を省略する。
【００４７】
図は、扉を開放する動作を説明するための説明図である。例えば、不図示の左手に収納食品を持ち、他方の片手である図示の右手Ｊ２１で、右側の扉２５を開放した時の状態を示す。この場合、前記左手の収納食品を庫内に容易に収納できるように、通常は、冷蔵庫のすぐ近くで、且つ、冷蔵庫の中心より右側扉２５側に少し寄った所に立って、該右側扉２５のハンドル４１に右手Ｊ２１を掛けて右側扉２５のみを開ける。
【００４８】
しかし、この状態で前記左手の収納食品が冷蔵室内に入らない場合は、他方の扉、つまり、左扉２６のハンドル４２に同じ右手を掛けて、該扉２６を開放しようとする。
【００４９】
この時、先にも記載した如くハンドル４２は、通常使用する主婦の目線より下の扉下部にあるために、且つ、このときの身体の位置が前述したように、右側扉２５の前にあるために、右手で左側扉２６を開ける為には、立っている位置を少し左に変えて、或いは、身体を捩じるようにして、右手を左側扉のハンドル４２に掛けなければ成らなかったが、前述したようにハンドル４２は目視し難い所にあるために、しかも、開けようとする左扉２６の前に、開けようとする人の収納食品を持った左手があるために、右手で左扉２６のハンドルに手を掛けることが困難であった。従って、人間の特性として、左扉２６の側面２６b部に右手Ｊ２２を掛けて、該扉２６を開けようとしてしまう。しかし、従来は図１１に示したように、扉の側面には、手掛部が無いので、扉を開ける事が困難であったので、本発明は、上記人間の特性として、手指を掛けようとする扉の側面２６bに、前述した手掛部５２を設けて、該扉２６を開放し易く構成したものである。
【００５０】
以上のように構成されているので、本発明は、隣り合う二つの扉の開放側側面に手掛部を形成したので、観音開き式扉の隣接する二つの扉を、片手で開放できる扉操作性の良い冷蔵庫を提供できる。
【００５１】
また、手掛部に於いては、他扉との間に対流空間が形成されているので、温度の高い室外外気が該部に対流して、室外と貯蔵室の庫内とを閉塞する回転仕切板表面の温度を上昇させる働きをするので、加熱手段等への入力を低減できるので、省エネ上有利な冷蔵庫を提供できる。
【００５２】
また、手掛部は上記二つの扉の表面間寸法を変えない位置としたので、二つの扉間寸法が均一となるので、外観意匠上優れた冷蔵庫を提供できる。
【実施例２】
【００５３】
次に、本発明の第二の実施例について図４から図７により説明する。図４は本発明の第二の実施例を示す冷蔵庫の正面図であり、図５は図４におけるＥ−Ｅ線の要部断面図である。なお、前述の実施例１と同一構成については、同一符号を付して詳細な説明を省略する。
【００５４】
先ず図４に於いて、６０は冷蔵庫本体であり、この冷蔵庫本体６０は上から順に冷蔵室６１、野菜室６２、冷凍室６３が区画形成されている。而して、上記冷蔵室６１は二つの扉６５，６６で冷蔵室６１の前面開口部を開閉可能に閉塞する所謂観音開き式扉となっている。そして、上記二つの扉側に設けた図５で後述するマグネットパッキング４７，４８の着磁面は、上記隣接する観音開き式扉６５，６６のほぼ中央部に於いて、前記貯蔵室である冷蔵室６１の庫内と室外とを閉塞する回転仕切板４３に着磁し、冷蔵室６１内と室外とを遮断するように構成されている。なお、この冷蔵庫の外観意匠を向上させる目的で、上記二つの扉６５，６６の表面間寸法Ｌ３０を１０ｍｍ以下に設定してある。
【００５５】
６８，６９は上記観音開き式扉６５，６６に設けられたハンドルであり、このハンドル６８，６９は左右対称形となるように構成されている。
【００５６】
７１は上記観音開き式６５の開放側の側面に形成された手掛部であり、該手掛部７１は上記二つの扉６５，６６の表面間寸法を変えない位置とし、更に、その手掛部７１と、他扉６６との間に後述する対流空間を形成するように構成してある。また、前記手掛部７１は、上記観音開き式扉の、一方の扉６６を開放したとき、その一方の扉を開放した時の身体位置のままで、前記一方の扉を開放した手の指が掛かる位置に、後述するように設けられている。
【００５７】
７２は上記観音開き式６６の開放側の側面に形成された手掛部であり、該手掛部７２は上記二つの扉６５，６６の表面間寸法を変えない位置とし、更に、その手掛部７２と、他扉６５との間に後述する対流空間を形成するように構成してある。また、前記手掛部７２は、上記観音開き式扉の、一方の扉６５を開放したとき、その一方の扉を開放した時の身体位置のままで、前記一方の扉を開放した手の指が掛かる位置に、後述するように設けられている。
【００５８】
つぎに、図５により説明する。図５は図４におけるＥ−Ｅ線の要部断面図であり、前述の図４と同一構成については、同一符号を付して詳細な説明を省略する。
【００５９】
図に於いて、７１は扉６５の開放側の側面に形成された手掛部であり、該手掛部７１の頂部７１aは、後述する手掛部７２の頂部７２aとの間隙寸法Ｌ３０を変えない位置に、且つ、その手掛部７１の底部７１bと、他扉６６に設けた後述する手掛部７２の底部７２bとの間隙寸法Ｌ３１を前記間隙寸法Ｌ３０より大きくして、該大きくしたことにより、冷蔵庫周囲の温度の高い外気が対流して、仕切板表面４３aの温度を上昇できるように、対流空間Ｇ３１を形成するように構成してある。なお、上記対流空間Ｇ３１内に、冷蔵庫周囲の外気が対流し易いように、上記手掛部７１の厚さ寸法Ｔ３１は１５ｍｍ以下としてある。換言すれば、前記仕切板表面４３aが結露しないようにしている電気ヒーター等の加熱手段４４への入力を低減して、省エネが図れるように、前記手掛部７１の底部７１bと、他扉６６に設けた後述する手掛部７２の底部７２bとの間隙寸法Ｌ３１を、前記扉表面間寸法Ｌ３０より大きくして、冷蔵庫周囲の温度の高い外気が対流できる対流空間Ｇ３１を形成してある。
【００６０】
また、前記手掛部７１は、上記観音開き式扉の一方の扉６６を開放したとき、その一方の扉を開放した時の身体位置のままで、前記一方の扉を開放した手の指が掛かる位置に設けられている。
【００６１】
７２は扉６６の開放側の側面に形成された手掛部であり、該手掛部７２の頂部７２aは、前述した手掛部７１の頂部７１aとの間隙寸法Ｌ３０を変えない位置に、且つ、その手掛部７２の底部７２bと、他扉６５に設けた前述した手掛部７１の底部７１bとの間隙寸法Ｌ３１を前記間隙寸法Ｌ３０より大きくして、該大きくしたことにより、冷蔵庫周囲の温度の高い外気が対流して、仕切板表面４３aの温度を上昇できるように、対流空間Ｇ３１を形成するように構成してある。なお、上記対流空間Ｇ３１内に、冷蔵庫周囲の外気が対流し易いように、上記手掛部７２の厚さ寸法Ｔ３２は１５ｍｍ以下としてある。
【００６２】
また、前記手掛部７２は、上記観音開き式扉の一方の扉６５を開放したとき、その一方の扉を開放した時の身体位置のままで、前記一方の扉を開放した手の指が掛かる位置に設けられている。
【００６３】
７３，７４は前記手掛部７１，７２に手指を掛けたときに、該手指が傷つかないように形成された手掛部材であり、該手掛部材７３，７４は、例えば、合成樹脂や金属等による押し出し加工、或いは、合成樹脂の射出成形加工にて形成されている。
【００６４】
つぎに、図６により説明する。図６は図４におけるＦ−Ｆ線相当の要部断面説明図であり、前述の図４と同一構成については、同一符号を付して詳細な説明を省略する。
【００６５】
図は、扉を開放する動作を説明するための説明図である。例えば、不図示の右手に収納食品を持ち、他方の片手である図示の左手Ｊ３２で、左側の扉６６を開放した時の状態を示す。この場合、前記右手の収納食品を庫内に容易に収納できるように、通常は、冷蔵庫のすぐ近くで、且つ、冷蔵庫の中心より左側扉６６側に少し寄った所に立って、該左側扉６６のハンドル６９に左手Ｊ３２を掛けて左側扉６６のみを開ける。
【００６６】
しかし、この状態で前記右手の収納食品が冷蔵室内に入らない場合は、他方の扉、つまり、右扉６５のハンドル６８に同じ左手を掛けて、該扉６５を開放しようとする。
【００６７】
この時、身体の位置が前述したように、左側扉６６の前にあるために、左手で右側扉６５を開ける為には、立っている位置を少し右に変えて、或いは、身体を捩じるようにして、左手を右側扉のハンドル６８に掛けなければ成らないが、人間の習性（特性）として、目の高さにある扉６５の側面６５bに左手Ｊ31を掛けてしまう。
【００６８】
従って、本発明は、上記人間の習性（特性）として、手指を掛けようとする扉の側面６５bに、前述した手掛部７１を設けて、該扉６５を開放し易く構成したものである。
【００６９】
つぎに、図７により説明する。図７は本発明の第二の実施例を示す扉の斜視説明図であり、前述の図４と同一構成については、同一符号を付して詳細な説明を省略する。図に於いて、７２は、扉側面に形成した手掛部であり、該手掛部７２は扉６６の開放側側面６６bの長さＬ３２とほぼ同じ長さに形成されている。また、前記手掛部７２の下部７２cはゴミ等の溜まりが生じないように、平面状あるいは角部に丸みのある形状に形成されている。
【００７０】
なお、ハンドル６９は仮想線で示した６９bの形状に形成しても、前述した手掛部７１や７２の効果の変わらないことは自明である。
【００７１】
以上のように構成されているので、本発明の第二の実施例は、一方の扉を開放したとき、その一方の扉を開放した時の身体位置のままで、前記一方の扉を開放した手の指が掛かる手掛部を、他方の扉の開放側側面に夫々設けたので、且つ、該側面とほぼ同じ長さに形成したので、観音開き式扉の隣接する二つの扉を、片手で開放できる扉操作性の良い冷蔵庫を提供できる。また、通常使用する主婦の目の高さに手掛部があるので、人間の習性（特性）としても無理の無い行動で開放できる扉構造を提供できる。また、手掛部下部がゴミ溜まりを生じない形状としてあるので、清掃上有利な冷蔵庫を提供出来る。
【実施例３】
【００７２】
次に、本発明の第三の実施例について図８により説明する。図８は本発明の第三の実施例を示す扉の斜視説明図である。図に於いて、８１は観音開き式扉の例えば左扉であり、８２は上記観音開き式扉８１の開放側の側面を断熱材側に窪ませて形成した手掛部である。
【００７３】
前記手掛部８２は、上記観音開き式扉の一方の扉、例えば、図示しない右扉を開放したとき、その右扉を開放した時の身体位置のままで、前記一方の扉を開放した手の指が掛かる位置の扉側面８１aに設けられている。
【００７４】
また、手掛部８２は、その下部を、扉８１の下面８１bまで延長して、ハンドル部８３を一体あるいは別体にて形成してある。
【００７５】
また、手掛部８２と、該手掛部の延長部であるハンドル部８３とは、ゴミ溜まり等が生じない連結部８４によりほぼ一体の窪み形状として形成されている。
【００７６】
以上のように構成されているので、本発明の第三の実施例は、手掛部を、扉の下面まで延長し、扉のハンドルとしたので、手掛部とハンドル部とが同時に製作できるので、製造工程上また、製造コスト上有利な冷蔵庫を提供出来る。また、ハンドル部８３と手掛部８２間がゴミ溜まりを生じない形状としてあるので、清掃上有利な冷蔵庫を提供出来る。
【図面の簡単な説明】
【００７７】
【図１】本発明の第一の実施例を示す冷蔵庫の正面図。
【図２】図１におけるＣ−Ｃ線の要部断面図。
【図３】図１におけるＤ−Ｄ線相当の要部断面説明図。
【図４】本発明の第二の実施例を示す冷蔵庫の正面図。
【図５】図４におけるＥ−Ｅ線の要部断面図。
【図６】図４におけるＦ−Ｆ線相当の要部断面説明図。
【図７】本発明の第二の実施例を示す扉の斜視説明図。
【図８】本発明の第三の実施例を示す扉の斜視説明図。
【図９】従来例を示す冷蔵庫の正面図。
【図１０】図９におけるＡ−Ａ線の要部断面図。
【図１１】図９におけるＢ−Ｂ線の要部断面図。
【符号の説明】
【００７８】
２０，６０…冷蔵庫本体、２１，６１…冷蔵室、２２，６２…野菜室、２４，６３…冷凍室、２５，２６，６５，６６…観音開き式扉、４１，４２，６８，６９…ハンドル、４３…回転仕切板、４３a…仕切板表面、４４…加熱手段、４７，４８…パッキング、５２，７１，７２，８２…手掛部。
【図１】
2006313024.tif 000003
【図２】
2006313024.tif 000004
【図３】
2006313024.tif 000005
【図４】
2006313024.tif 000006
【図５】
2006313024.tif 000007
【図６】
2006313024.tif 000008
【図７】
2006313024.tif 000009
【図８】
2006313024.tif 000010
【図９】
2006313024.tif 000011
【図１０】
2006313024.tif 000012
【図１１】
2006313024.tif 000013